(57)【要約】      （修正有）【課題】多孔質材の再利用を防止し、ペットの健康管理を適切に行うことができるペット用飲料器を提供する。【解決手段】開口５２を有し飲料水が充填される容器本体５１と、開口より小さな外形寸法を有し容器本体内に充填される多孔質材６と、開口に取り付けられ、多孔質材の開口からの飛び出しを防止するキャップ体２と、を具備し、キャップ体は、開口から容器本体内に挿入され、容器本体内へ押し込み可能に取り付けられていることを特徴とする。【選択図】図１
0003198688.tif 000002
【実用新案登録請求の範囲】
【請求項１】
開口を有し飲料水が充填される容器本体と、
前記開口より小さな外形寸法を有し前記容器本体内に充填される多孔質材と、
前記開口に取り付けられ、前記多孔質材の前記開口からの飛び出しを防止するキャップ体と、を具備し、
前記キャップ体は、前記開口から前記容器本体内に挿入され、前記容器本体内へ押し込み可能に取り付けられている
ことを特徴とするペット用給水器。
【請求項２】
請求項１記載のペット用給水器において、
前記キャップ体は、前記容器本体の開口の内径寸法に等しい外径寸法を有する筒状の取付筒部と、前記多孔質材より小さな複数の通水口を有し前記取付筒部の先端側に設けられた筒状の通水筒部と、前記通水筒部の先端側を覆う隔壁部と、を備える
ことを特徴とするペット用給水器。
【請求項３】
請求項２記載のペット用給水器において、
前記キャップ体の隔壁部には、前記多孔質材の幅寸法より小さな幅寸法を有する通水溝部が設けられている
ことを特徴とするペット用給水器。
【請求項４】
請求項２または３記載のペット用給水器において、
前記キャップ体の隔壁部の中心位置には、前記キャップ体を前記容器本体内へ押し込むための押圧壁部が設けられている
ことを特徴とするペット用給水器。
【請求項５】
請求項１〜４のいずれかに記載のペット用給水器において、
前記容器本体は、一端側に前記開口が設けられた膨出部と、前記膨出部の他端側に設けられ前記膨出部の他端部より外形寸法が大きな保持部とを有し、
前記膨出部には、断面凹状の強度保持部が前記膨出部の周方向に亘って設けられ、
前記保持部は、径方向断面Ｘ状に形成されている
ことを特徴とするペット用給水器。
【請求項６】
請求項１〜５のいずれかに記載のペット用給水器において、
前記多孔質材は、前記飲料水を浄化する機能を有する球状のセラミックボールである
ことを特徴とするペット用給水器。
【考案の詳細な説明】
【技術分野】
【０００１】
本考案は、例えば犬猫等のペットが摂取する水を保持するためのペット用給水器に関する。
【背景技術】
【０００２】
従来、この種のペット用給水器としては、例えば下記特許文献１に記載のペット用給水器２が知られている。本ペット用飲料器２は、例えば市販されている５００ｍｌ入りのペットボトル飲料用の空ペットボトル等からなる給水具５を用い、給水具５の給水口５２に、多孔質材６の外径寸法より小さな内径寸法の挿通口１５を有するキャップ体１を取り付けて、給水具５内に充填した多孔質材６の給水器本体３、特に給水管３８の目詰まりを防止する構成となっている。
【先行技術文献】
【特許文献】
【０００３】
【特許文献１】実用新案登録第３１９４２６４号公報
【考案の概要】
【考案が解決しようとする課題】
【０００４】
しかしながら、上記特許文献１に記載のペット用飲料器２は、市販されている５００ｍｌ入りの空ペットボトル等を給水具５として用いるため、用いるペットボトルの種類等によっては、給水口５２の内径寸法や外径寸法が若干異なるものが存在している。このため、これら内径寸法や外径寸法が異なるペットボトルに対応させ、内径寸法や外径寸法が異なる複数種のキャップ体１を予め用意しておく必要がある。
【０００５】
また、給水器本体３から給水具５を取り外した後、給水具５の給水口５２に取り付けられているキャップ体１を取り外すことによって、給水具５の容器本体５１に充填されている多孔質材６を、給水具５の給水口５２から取り出すことができるため、多孔質材６の詰め替えが可能である。したがって、すでに効果が望めない多孔質材６や、バクテリアが繁殖等した不衛生な多孔質材６等を再利用し、これら多孔質材６を何度も使用でき、飲料水Ｗを与える犬猫等のペットの適切な健康管理が行えないおそれがある。
【０００６】
そこで本考案は、従来技術における上記問題を解決し、多孔質材の再利用を防止し、ペットの健康管理を適切に行うことができるペット用飲料器を提供することを目的とする。
【課題を解決するための手段】
【０００７】
この課題を解決するため、請求項１にかかる本考案は、開口を有し飲料水が充填される容器本体と、前記開口より小さな外形寸法を有し前記容器本体内に充填される多孔質材と、前記開口に取り付けられ、前記多孔質材の前記開口からの飛び出しを防止するキャップ体と、を具備し、前記キャップ体は、前記開口から前記容器本体内に挿入され、前記容器本体内へ押し込み可能に取り付けられている、ことを特徴とするペット用給水器である。
【０００８】
そして、このように構成したことにより、容器本体内に充填された多孔質材を、容器本体から取り出す場合、容器本体の開口に取り付けられているキャップ体を容器本体内へ押し込まなければならない。すなわち、キャップ体を容器本体の開口から容器本体外へ取り外すことができず、キャップ体を容器本体の開口に再び取り付けることができない構成になっている。この結果、例えば、容器本体内から多孔質材を取り出して洗浄等してから、洗浄等した多孔質材を再度容器本体に充填して再利用することを防止できる。よって、長期間の使用等に基づいた、すでに効果が望めない多孔質材や、バクテリアが繁殖等した不衛生な多孔質材等の再利用を防止できるから、多孔質材とともに容器本体内に充填した飲料水を与えるペットの適切な健康管理が可能となる。
【０００９】
請求項２は、請求項１のペット用給水器において、前記キャップ体は、前記容器本体の開口の内径寸法に等しい外径寸法を有する筒状の取付筒部と、前記多孔質材より小さな複数の通水口を有し前記取付筒部の先端側に設けられた筒状の通水筒部と、前記通水筒部の先端側を覆う隔壁部と、を備える、ことを特徴とする。
【００１０】
そして、このように構成したことにより、キャップ体を容器本体の開口に取り付けた状態で、例えばキャップ内の内径寸法より小さな外径寸法を有する棒状体の先端側をキャップ体に挿入する。そして、この棒状体の先端部をキャップ体の隔壁部に接触させ、キャップ体の隔壁部を棒状体の先端部で押すことによって、キャップ体を容器本体内に押し込むことができる。したがって、ペット用給水器を廃棄等する際に、容器本体内から多孔質材を取り出すための作業を容易にできるため、キャップ体を容器本体の開口から容器本体外へ取り外すことができないペット用給水器であっても、容器本体からの多孔質材の取り出しを容易にできる。
【００１１】
請求項３は、請求項２のペット用給水器において、前記キャップ体の隔壁部には、前記多孔質材の幅寸法より小さな幅寸法を有する通水溝部が設けられている、ことを特徴とする。
【００１２】
そして、このように構成したことにより、キャップ体の隔壁部の通水溝部は、多孔質材を通過させず飲料水のみを通過させるため、キャップ体を介した容器本体の開口からの飲料水の供給量をより確保することができる。
【００１３】
請求項４は、請求項２または３のペット用給水器において、前記キャップ体の隔壁部の中心位置には、前記キャップ体を前記容器本体内へ押し込むための押圧壁部が設けられている、ことを特徴とする。
【００１４】
そして、このように構成したことにより、例えばキャップ体の内径寸法より小さな外径寸法を有する棒状体の先端側をキャップ体に挿入して、キャップ体の隔壁部の中心位置に設けられた押圧壁部を押すことによって、キャップ体を容器本体内に容易に押し込むことができる。よって、キャップ体を容器本体の開口から容器本体外へ取り外すことができないペット用給水器であっても、容器本体からの多孔質材の取り出しをより容易にできる。
【００１５】
請求項５は、請求項１〜４のいずれかのペット用給水器において、前記容器本体は、一端側に前記開口が設けられた膨出部と、前記膨出部の他端側に設けられ前記膨出部の他端部より外形寸法が大きな保持部とを有し、前記膨出部には、断面凹状の強度保持部が前記膨出部の周方向に亘って設けられ、前記保持部は、径方向断面Ｘ状に形成されている、ことを特徴とする。
【００１６】
そして、このように構成したことにより、容器本体の膨出部により、容器本体内への飲料水の充填量を確保でき、容器本体の開口を上方に向けた状態で、容器本体の保持部に多孔質材が保持された状態となる。また、膨出部の強度保持部により、膨出部の強度が確保され、保持部が径方向断面Ｘ状としたことにより、保持部の強度を確保できつつ美観が向上する。
【００１７】
請求項６は、請求項１〜５のいずれかのペット用給水器において、前記多孔質材は、前記飲料水を浄化する機能を有する球状のセラミックボールである、ことを特徴とする。
【００１８】
そして、このように構成したことにより、飲料水とともに容器本体内に充填されたセラミックボールによって、容器本体内の飲料水を浄化することができる。よって、容器本体に飲料水を充填した状態で、例えば気温が高い環境下で長時間に亘って放置した場合等に生じる、容器本体内の飲料水の水質悪化を防止できる。また同時に、球状のセラミックボールとしたことにより、容器本体へ充填する際や、容器本体から取り出す際の多孔質材の取扱いが容易になる。
【考案の効果】
【００１９】
本考案によれば、容器本体の開口に取り付けられているキャップ体を容器本体内へ押し込まなければ、容器本体内に充填された多孔質材を、容器本体から取り出すことができない。よって、多孔質材を再度容器本体に充填して再利用できず、効果が望めない多孔質材や不衛生な多孔質材等の再利用を防止でき、容器本体内に充填した飲料水を与えるペットの適切な健康管理が可能となる。そして、前述した以外の課題、構成および効果は、以下の実施形態の説明より明らかにされる。
【図面の簡単な説明】
【００２０】
【図１】本考案の一実施形態に係るペット用給水器を示す正面図である。
【図２】上記ペット用給水器を示す底面図である。
【図３】上記ペット用給水器のキャップ体を示す図で、（ａ）は正面図、（ｂ）は底面図、（ｃ）は断面図である。
【図４】上記ペット用給水器を給水器本体に取り付けた状態を示す断面図である。
【図５】上記ペット用給水器の使用状態を示す斜視図である。
【図６】上記ペット用給水器を他の給水器本体に取り付けた状態を示す断面図である。
【考案を実施するための形態】
【００２１】
本考案の一実施形態に係るペット用給水器１について、図１〜図５を参照して説明する。図１は、本考案の一実施形態に係るペット用給水器１を示す正面図である。図２は、ペット用給水器１を示す底面図である。図３は、ペット用給水器１のキャップ体２を示す図で、（ａ）は正面図、（ｂ）は底面図、（ｃ）は断面図である。図４は、ペット用給水器１を給水器本体３に取り付けた状態を示す断面図である。図５は、ペット用給水器１の使用状態を示す斜視図である。
【００２２】
本一実施形態に係るペット用給水器１は、図５に示すように、例えばペット用のゲージＡに取り付けるための給水器本体３に取り付けられて用いられる。給水器本体３は、市販されている一般的な５００ｍｌ用のペットボトルを取り付けて用いるペットボトル用ドリンクホルダである。給水器本体３には、図４に示すように、給水器本体２をゲージＡに固定するための取付ねじ４が取り付けられている。給水器本体３は、取付ねじ４を取り付けるための本体部３１を有する。本体部３１の一側部には、ペット用給水器１を保持するための保持部３２が設けられている。本体部３１の他側部、すなわち保持部３２が設けられている側の反対側には、平坦な接触面部３３が設けられている。接触面部３３の中心位置には、内周面にねじ溝、すなわち雌ねじ３４が形成された取付凹部３５が設けられている。
【００２３】
取付ねじ４は、略円盤状の基部４１を有する。基部４１の一側面である外側面には、基部４１を周方向に回転させる際に使用者が把持するためのつまみ４２が設けられている。基部４１の他側面、すなわちつまみ４２が設けられている側の反対側である内側面の中心位置には、外周面にねじ溝、すなわち雄ねじ４３が形成された略円柱状のねじ部４４が同軸上に突設している。ねじ部４４は、給水器本体３の取付凹部３５に取り外し可能にねじ止めできる形状となっている。
【００２４】
図１〜図４に示すように、ペット用給水器１は、給水器本体３に着脱可能に取り付けられる給水具としての給水ボトル５と、給水ボトル５に充填する多孔質材６と、給水ボトル５の給水口５２に取り付けられたキャップ体２とで構成されている。なお、キャップ体２、給水器本体３および取付ねじ４のそれぞれは、合成樹脂製である。
【００２５】
給水ボトル５は、例えばＰＥＴ製の給水容器であって、有底円筒状の容器本体５１を有する。容器本体５１の軸方向の一端部（図１の上端部）は縮径しており、この縮径した一端部の中心位置には、容器本体５１に飲料水Ｗ等を充填または放出するための略円筒状の開口である給水口５２が同軸上に設けられている。給水口５２の外周面には、ねじ溝、すなわち雄ねじ５３が形成されている。給水口５２には、未使用状態において給水ボトル５の給水口５２を閉塞するための蓋体８が取り外し可能に取り付けられている。蓋体８は、給水口５２より大きな外径寸法の蓋本体８１と、蓋本体８１の周縁に連続して設けられた円筒状の縁部８２とを有する。縁部８２の内周面には、給水口５２の雄ねじ５３に螺合可能な雌ねじ８３が設けられている。蓋体８は、未使用状態においてペット用給水器１の給水口５２に取り付けられ、ペット用給水器１に飲料水Ｗを充填して使用する際に給水口５２から取り外される。
【００２６】
容器本体５１の給水口５２の基端側、すなわち容器本体５１の一端側には、円弧面状に外周面を膨出させた膨出部５４が設けられている。膨出部５４は、給水口５２の基端側から容器本体５１の軸方向の中心位置より他端側までに亘った部分に設けられ、一端側の曲率よりも他端側の曲率が小さい逆雫型に形成されている。膨出部５４の基端側は、給水口５２の内径寸法より大きな内径寸法に形成されている。膨出部５４の外周面には、周方向に亘って断面凹状の強度保持部としての強度保持凹部５５が設けられている。強度保持凹部５５は、膨出部５４の径方向における強度を確保する目的で、複数、例えば３本設けられている。各強度保持凹部５５は、容器本体５１の軸方向に向けて等間隔に離間した位置に、容器本体５１の周方向に亘って環状に設けられている。
【００２７】
容器本体５１の他端側、すなわち膨出部５４の基端側には、給水ボトル５の給水口５２を上方に向けた状態で、給水ボトル５に充填した多孔質材６を収容させるための保持部としての収容部５６が設けられている。収容部５６は、図２に示すように、膨出部５４の他端部より外形寸法が大きな平面視Ｘ状に形成されており、互いに直交する方向に突出した計４つの収容突部５７を有する。各収容突部５７は、それぞれ平面視凸状に形成され、給水ボトル５の基端側を下方にして平坦な面に載置させた際に、給水ボトル５を自立可能とさせるように、それぞれの底面が平坦状に形成されている。各収容突部５７は、多孔質材６を挟まないように、多孔質材６の外径寸法より大きな幅寸法に形成され、給水ボトル５の美観を向上させている。収容部５６の底部の中心位置、すなわち各収容突部５７のそれぞれが連結されている部分の底部側の中心位置には、断面凸状のプリフォームである底上げ部５８が設けられている。底上げ部５８は、給水ボトル５の給水口５２を上方に向けて平坦な面に載置させた際に、各収容凹部５７の内部へ多孔質材６を移動させて収容させる機能を有するとともに、収容部に充填された多孔質材の容量を視覚的に多く見せる機能（嵩上げ機能）を有する。
【００２８】
キャップ体２は、給水ボトル５内に充填された多孔質材６による給水口５２の通過を阻止し、この給水口５２からの多孔質材６の飛び出しを防止しつつ、給水ボトル５内に充填した飲料水Ｗのみの給水口５２の通過を可能とする通水フィルタである。キャップ体２は、図３に示すように、略有底円筒状に形成されている。キャップ体２は、給水ボトル５の給水口５２の内径寸法に等しい外径寸法を有する円筒状の取付筒部２１と、取付筒部２１の一端側である先端側に同心状に連通して設けられた筒状の通水筒部２２と、通水筒部２２の一端側である先端側を覆う平坦な隔壁部２３とを有する。
【００２９】
取付筒部２１は、径方向における弾性変形を抑制する目的から通水筒部２２の肉厚より厚い肉厚に形成されており、取付筒部２１の他端である基端側の縁部を、給水ボトル５の給水口５２の開口側の縁部に沿わせた状態として、給水口５２に嵌合されて取り付けられている。通水筒部２２は、図３（ｂ）に示すように、径方向断面正六角形状に形成されている。通水筒部２２の計６つの側面部２４のそれぞれには、各多孔質材６の外径寸法より小さな大きさの通水口２５が設けられている。
【００３０】
各通水口２５は、多孔質材６の通過を阻止する形状であればどのような形状であってもよいが、例えば図１および図３に示すように水滴型に形成されている。通水口２５は、各側面部２４の長手方向、すなわち通水筒部２２の軸方向に向けて等間隔に離間した位置にそれぞれ設けられている。２つの側面部２４には、計３個の通水口２５が設けられている。残りの４つの側面部２４には、各側面部２４の一端側および他端側のみに通水口２５が設けられ、計２個の通水口２５が設けられている。これら通水口２５は、通水筒部２２の一端側、中間部、他端側のそれぞれに、通水筒部２２の周方向に沿って設けられている。計２個の通水口２５が設けられた計４つの側面部２４それぞれの中間部は、平坦面とされ、ペット用給水器１の商品名やロゴ等を表示するための表示部２６となっている。
【００３１】
隔壁部２３は、通水筒部２２の先端側を閉塞する正六角形に形成された本体部２７に、多孔質材６の幅寸法、すなわち外径寸法より小さな幅寸法を有する通水溝部２８が設けられている。通水溝部２８は、例えば略平行四辺形型に形成され、本体部２７の隣接する２つの縁部に沿って、複数、例えば２個ほど設けられている。これら計２個の通水溝部２８は、本体部２７の中心を介して互いに対向する位置に設けられている。このため、本体部２７の中心位置は、通水溝部２８が設けられずに閉塞されており、キャップ体２を給水ボトル５の容器本体５１内へ押し込むための押圧壁部２９が設けられている。
【００３２】
すなわち、キャップ体２は、図１に示すように、隔壁部２３側から給水ボトル５の給水口５２に挿入され、この給水口５２に取付筒部２１を嵌合させつつ圧入して係止させて取り付けられている。よって、キャップ体２は、例えば割り箸等の棒状体（図示せず）を、給水ボトル５の給水口５２へ挿入し、この棒状体の先端部にて隔壁部２３の押圧壁部２９を、給水ボトル５の底部側へ押圧して取付筒部２１を給水ボトル５の給水口５２から外し、キャップ体２を給水ボトル５内へ取り外すことができるものの、キャップ体２を給水ボトル５外へ取り出すことができない、押し込みのみ可能な構造となっている。
【００３３】
多孔質材６は、球状のセラミックボールであって、給水ボトル５の容器本体５１に飲料水Ｗとともに複数個が充填され、容器本体５１に充填された飲料水Ｗを浄化、すなわち水質の悪化を防止する機能を有する濾材でもある高性能活水セラミックにて形成されている。多孔質材６は、給水ボトル５の給水口５２から充填できるように、給水口５２の内径寸法より小さく、具体的には給水口５２の内径寸法の２分の１より大きな外径寸法、すなわち外形寸法に形成されている。
【００３４】
多孔質材６は、天然のミネラル、酵素、アミノ酸等を含む海洋性珪藻土にて形成されており、イオン交換作用、殺菌作用および消臭作用を有している。多孔質材６は、飲料水Ｗ中に大量の酸素を含ませるとともに、飲料水Ｗ中の不純物を吸着分解する天然活水作用を有している。また、多孔質材６は、飲料水Ｗ中に種々のミネラルを放出し、飲料水Ｗ中での好気性微生物の繁殖を促進させ、飲料水Ｗ中のアンモニア等の有害物質を無害化させる。
【００３５】
具体的に、多孔質材６は、海底地層に存在する軟質多孔性古代海洋腐植質とＳｉ６Ｏ１８とから成る焼成バイオセラミックであり、軟質多孔性古代海洋腐植質とＳｉ６Ｏ１８とを混合し、高圧下で球状に成型した後、電気炉内（１０００℃以上）等において焼結することにより成る２５０ｍ２／ｇの表面積を有する多孔質の物質である。
【００３６】
軟質多孔性古代海洋腐植質は、例えば無水珪酸（ＳｉＯ２）５５．００％、アルミニウム（Ａｌ）１３．００％、酸化鉄（ＦｅＯ）４．１０％、カルシウム（Ｃａ）３．６０％、マグネシウム（Ｍｇ）１．６０％、硫黄（Ｓ）１．１０％、カリウム（Ｋ）０．１７３％、チタン（Ｔｉ）０．１６０％、リン（Ｐ）０．０７０％、コバルト（Ｃｏ）０．０６０％、ナトリウム（Ｎａ）０．０５０％、マンガン（Ｍｎ）０．０４０％、ストロンチウム（Ｓｒ）０．００７％、バリウム（Ｂａ）０．００７％、錫（Ｓｎ）０．００６％、亜鉛（Ｚｎ）０．００６％、バナジウム（Ｖ）０．００３％、ポロリウム（Ｐｏ）０．００３％、ニッケル（Ｎｉ）０．００２％、銅（Ｃｕ）０．００１％等の成分を含有する。軟質多孔性古代海洋腐植質は、モンモリロナイト（Ｎａ２／３Ｓｉ８（Ａｌ１０／３Ｍｇ２／３）Ｏ２０・（ＯＨ）４）と同様の成分を有し、表面に負電荷をもつ陽イオン（Ｋ＋、Ｃａ２＋、Ｍｇ２＋、Ｎａ＋等）を吸着し、これら陽イオンを徐々に放出する性質を有している。
【００３７】
多孔質材６は、蒸留循環水内に２時間浸漬させることにより、無水珪酸（ＳｉＯ２）６．６ｍｇ／ｌ、アルミニウム（Ａｌ）０．７６ｍｇ／ｌ、鉄（Ｆｅ）０．０５ｍｇ／ｌ、カルシウム（Ｃａ）１８ｍｇ／ｌ、マグネシウム（Ｍｇ）０．６４ｍｇ／ｌ、カリウム（Ｋ）０．６８ｍｇ／ｌ、チタン（Ｔｉ）０．１ｍｇ／ｌ、リン（Ｐ）０．１３ｍｇ／ｌ、コバルト（Ｃｏ）０．０１ｍｇ／ｌ、ナトリウム（Ｎａ）１．７ｍｇ／ｌ、マンガン（Ｍｎ）０．０１ｍｇ／ｌ、バリウム（Ｂａ）０．０１ｍｇ／ｌ、亜鉛（Ｚｎ）０．０１ｍｇ／ｌ、錫（Ｓｎ）０．１ｍｇ／ｌ、バナジウム（Ｖ）０．１ｍｇ／ｌ、ニッケル（Ｎｉ）０．０１ｍｇ／ｌ、銅（Ｃｕ）０．０１ｍｇ／ｌを溶出する。
【００３８】
一方、図４に示すように、給水器本体３の保持部３２は、上方が開口した略有底円筒状に形成されている。保持部３２の上側の開口は、給水ボトル５の給水口５２を着脱可能に接続して固定するための接続口である取付筒部３６となっている。取付筒部３６の内周面には、ねじ溝、すなわち雌ねじ３７が形成されている。取付筒部３６は、給水ボトル５の給水口５２の外径寸法に略等しい内径寸法に形成され、給水ボトル５の給水口５２の雄ねじ５３を、取付筒部３６の雌ねじ３７に取り外し可能にねじ止めできる形状となっている。
【００３９】
保持部３２の下部の本体部３１側には、保持部３２内に貫通する略円筒状の給水管３８が取り付けられている。給水管３８は、給水ボトル５内に充填した飲料水Ｗを放出するためのものであり、本体部３１側に向けて斜め下方に突出した状態として取り付けられている。給水管３８の下端部である先端部には、ステンレス管７がねじ止めされて取り付けられている。ステンレス管７は、先端部が縮径している。ステンレス管７の先端部の中心位置には、小孔状の供給口７１が設けられている。ステンレス管７の先端部内には、ボール弁７２が取り付けられている。ボール弁７２は、ステンレス管７の内径寸法より若干小さく、供給口７１の内径寸法より大きな直径を有する球体である。
【００４０】
＜利用方法＞
次に、上記一実施形態に係るペット用飲料器１の利用方法（使用方法）について説明する。
【００４１】
まず、ペット用飲料器１の給水ボトル５の給水口５２から蓋体８を取り外して給水口５２を開口させ、この給水口５２から給水ボトル５内へ所定量の飲料水Ｗを充填する。この状態で、蓋体８を再度給水口５２へ取り付ける等してから、給水ボトル５を軽く振り、給水ボトル５内の多孔質材６の洗浄（水洗い）を行う。この後、給水ボトル５の給水口５２から蓋体を取り外し、給水ボトル５内に充填した飲料水Ｗを捨て、多孔質材６の初期洗浄とする。
【００４２】
次いで、給水口５２から給水ボトル５内へ飲料水Ｗを充填してから、この給水口５２に給水器本体３の取付筒部３６を嵌合させつつ、給水器本体３を回転する等して、給水口５２の雄ねじ５３と取付筒部３６の雌めじ３７をねじ止めし、給水器本体３を給水ボトル５に取り付ける。
【００４３】
そして、図５に示すように、給水器本体３を取り付けた給水ボトル５の給水口５２を下向きにし、ペット用のゲージＡの外側から、ゲージＡを構成する格子状の線材に、給水器本体３の接触面部３３を接触させて、ペット用飲料器１の取付位置を定める。この状態で、ゲージＡの内側から取付ねじ４のねじ部４４を、給水器本体３の取付凹部３５に嵌合させるとともに、取付ねじ４のつまみ４２を把持してねじ部４４を回転させ、取付ねじ４のねじ部４４の雄ねじ４３を給水器本体３の取付凹部３５の雌ねじ３４にねじ止めし、取付ねじ４の基部４１と給水器本体３の接触面部３３との間にゲージＡの線材を締め付けて固定する。
【００４４】
この状態においては、図４に示すように、給水ボトル５に充填した飲料水Ｗが、給水口５２からキャップ体２の通水口２５や通水溝部２８を通過して、給水器本体３の保持部３２内へ流れていき、給水器本体３の保持部３２および給水管３８内が飲料水Ｗで満たされた状態となる。なお、ボール弁７２の自重によってステンレス管７の供給口７１が封止されるため、給水管３８内の飲料水Ｗがステンレス管７の供給口７１からこぼれない。このとき、給水ボトル５内の多孔質材６は、自重や飲料水Ｗの流れにより給水ボトル５の給水口５２側へ移動するものの、給水口５２に取り付けたキャップ体２の通水口５２や通水溝部２８を通過できないため、給水ボトル５内に留められた状態となる。
【００４５】
＜作用効果＞
この結果、例えば犬猫等のペットが給水器本体３のステンレス管７の先端部をなめる等することにより、ステンレス管７内のボール弁７２が移動し、ステンレス管７の供給口７１が開口し、給水ボトル５内の飲料水Ｗが供給口７１から放出され、飲料水Ｗを飲むことができる。そして、給水ボトル５内の飲料水Ｗがステンレス管７の供給口７１から放出される場合には、給水ボトル５の給水口５２に取り付けたキャップ体２によって、給水口５２からの多孔質材６の飛び出し、すなわち流出を阻止しつつ、給水ボトル５内の飲料水Ｗのみを通過させて給水器本体３に供給できる。したがって、給水ボトル５の給水口５２を下側に向けて使用した場合であっても、給水口５２に取り付けたキャップ体２によって、給水口５２からの多孔質材６の通過を阻止でき、多孔質材６による給水器本体３、特に給水管３８の目詰まりを確実に防止できる。
【００４６】
また同時に、給水ボトル５内に充填した多孔質材６によって、給水ボトル５内に充填した飲料水Ｗが浄化され水質の悪化が抑制される。よって、本考案に係るペット用給水器１を利用せず、多孔質材６による飲料水Ｗの浄化および水質悪化の抑制を行わない場合に比べ、ペット用の飲料水Ｗとして使用可能な期間を長期化でき、飲料水Ｗの交換作業を少なくでき、例えば気温が高い環境下で長時間に亘って放置した場合等に生じる、飲料水Ｗの水質の悪化を防止できる。また、多孔質材６を球状のセラミックボールとしたことにより、例えば粉末状の多孔質材の場合に比べ、給水ボトル５内への充填作業や、給水ボトル５の給水口５２からの取り出し作業等を容易にでき、多孔質材６の取扱いを容易にできるとともに、キャップ体２の通水口２５および通水溝部２８の構造を簡略化できるから、ペット用給水器１の構造を簡略化でき、ペット用給水器１の製造性を向上することができる。
【００４７】
さらに、キャップ体２の隔壁部２３に、多孔質材６の幅寸法より小さな幅寸法の通水溝部２８を設けたことにより、仮に、キャップ体２の通水口２５の大半を多孔質材６が覆ってしまう等し、これら通水口２５からの飲料水Ｗの通過量が減少してしまう場合であっても、キャップ体２の隔壁部２３に設けた通水溝部２８から飲料水Ｗが排出される。よって、キャップ体２を介した給水ボトル５の給水口５２からの飲料水Ｗの供給量の減少を抑制でき、供給口５２からの飲料水Ｗの供給量をより確実に確保できる。また、キャップ体２の通水口２５の形状を、図１および図３に示すように、水滴型としているため、球状の多孔質材６によって通水口２５が完全に覆われ塞がってしまうことを防止でき、これら通水口２５からの飲料水Ｗの通過を確実に確保できる。
【００４８】
また、ペット、例えば犬猫がペット用給水器１のステンレス管７の先端部をなめる等した際にボール弁７２が移動することによって、ステンレス管７の供給口７１が開口し、供給口７１からステンレス管７の内部に外気、すなわち空気が取り込まれていき、この空気によって、キャップ体２の周囲に位置する多孔質材６を移動でき、キャップ体２の通水口２５からの飲料水Ｗの供給をより確実にできる。
【００４９】
さらに、給水ボトル５内に充填された多孔質材６を、給水ボトル５の容器本体５１から取り出す場合に、例えば割り箸等のキャップ体２の内径寸法より小さな外径寸法および幅寸法を有する棒状体（図示せず）を、給水ボトル５の給水口５２へ挿入し、この棒状体の先端部にて隔壁部２３の押圧壁部２９を、給水ボトル５の底部側へ押圧して取付筒部２１を給水ボトル５の給水口５２から外し、キャップ体２を給水ボトル５内へ押し込んで取り外す。この状態で、給水ボトル５の給水口５２を下方に向けて軽く振る等することよって、給水口５２から多孔質材６を取り出すことができる。すなわち、キャップ体２を給水口５２から給水ボトル５外へ取り外すことができず、キャップ体２を給水ボトル５内に押し込みのみ可能で、キャップ体２を給水ボトル５の給水口５２に再び取り付けることができない構成になっている。
【００５０】
この結果、例えば、給水ボトル５から多孔質材６を取り出して煮沸洗浄等してから、この多孔質材６を再度給水ボトル５に充填しキャップ体３を給水ボトル５の給水口５２に再び取り付ける等することによる、ペット用給水器１の再利用を防止することができる。よって、長期間の使用等に基づいた、すでに効果が望めない多孔質材６や、バクテリアが繁殖等した不衛生な多孔質材６等の再利用を防止できるから、給水ボトル５に充填した飲料水Ｗを与えるペットの適切な健康管理が可能となる。
【００５１】
同時に、ペット用給水器１を廃棄等する際に、給水ボトル５内へキャップ体２を押し込むことにより、多孔質材６を給水ボトル５内から取り出すことができるため、多孔質材６の取り出し作業を容易にできる。よって、給水ボトル５の外側へキャップ体２を取り外すことができないペット用給水器１であっても、給水ボトル５からの多孔質材６の取り出しを容易にでき、給水ボトル５およびキャップ体２それぞれの素材を、例えばプラスティック製とすることにより、内部にキャップ体２を押し込んだ給水ボトル５の分別廃棄が可能となり、これら給水ボトル５およびキャップ体１のリサイクルが可能となる。
【００５２】
そして、給水ボトル５の一端側に、円弧面状に外周面を膨出させた膨出部５４を設けたことにより、給水ボトル５内への飲料水Ｗの充填量をより大きく確保できる。また、膨出部５４に強度保持凹部５５を設けたことにより、これら強度保持凹部５５によって膨出部５４の径方向における強度を確保できる。さらに、給水ボトル５の他端側に、互いに直交する方向に突出した計４つの収容突部５７を有する収容部５６を設け、収容部５６の底部側の中心位置に底上げ部５８を設けたことにより、給水ボトル５の給水口５２側を上方に向けた状態とした際に、給水ボトル５内の多孔質材６がいずれかの収容突部５７に収容されて保持された状態となる。特に、収容部５６の形状を径方向断面Ｘ状としたことにより、収容部５６の径方向および軸方向のそれぞれにおける強度を確保できるとともに、給水ボトル５全体の美観を向上することができる。
【００５３】
（その他）
なお、上記一実施形態においては、ペット用のゲージＡに取り付けることが可能な給水器本体３に、ペット用給水器１を取り付けた例について説明した。しかしながら、図６に示すように、例えばペットの散歩時に携帯等するための、ハンディータイプの給水器本体３Ａに、上記一実施形態に係るペット用給水器１を取り付けて用いることも可能である。
【００５４】
また、上記一実施形態においては、ペットがステンレス管７の先端部をなめる等した際にボール弁７２が移動して給水ボトル５内の飲料水Ｗが供給口７１から放出されるペット用給水器１について説明したが、ペットが飲料水Ｗを飲んで飲料水Ｗの水面が低下した場合に、給水ボトル５内の飲料水Ｗが流出する、いわゆる飲料水Ｗの表面張力を利用した給水器本体３であっても、上記一実施形態に係るペット用給水器１を用いることができる。すなわち、給水具本体３の形状は、給水ボトル５に充填した飲料水Ｗをペットに供給できる形態であれば、どのような形態であってもよい。
【００５５】
さらに、本考案は前述した実施形態に限定されるものではなく、様々な変形態様が含まれる。例えば、前述した実施形態は、本考案を分りやすく説明するために説明したものであり、本考案は、必ずしも説明した全ての構成を備えるものに限定されるものではない。
【符号の説明】
【００５６】
１    ペット用給水器
２    キャップ体
２１  取付筒部
２２  通水筒部
２３  隔壁部
２４  側面部
２５  通水口
２６  表示部
２７  本体部
２８  通水溝部
２９  押圧壁部
３，３Ａ    給水器本体
３１  本体部
３２  保持部
３３  接触面部
３４  雌ねじ
３５  取付凹部
３６  取付筒部
３７  雌ねじ
３８  給水管
４    取付ねじ
４１  基部
４２  つまみ
４３  雄ねじ
４４  ねじ部
５    給水ボトル
５１  容器本体
５２  給水口（開口）
５３  雄ねじ
５４  膨出部
５５  強度保持凹部（強度保持部）
５６  収容部（保持部）
５７  収容突部
５８  底上げ部
６    多孔質材
７    ステンレス管
７１  供給口
７２  ボール弁
８    蓋体
８１  蓋本体
８２  縁部
８３  雌ねじ
Ａ    ゲージ
Ｗ    飲料水
【図１】
0003198688.tif 000003
【図２】
0003198688.tif 000004
【図３】
0003198688.tif 000005
【図４】
0003198688.tif 000006
【図５】
0003198688.tif 000007
【図６】
0003198688.tif 000008